(57)【特許請求の範囲】
【請求項１】
供給された所定の交流出力を整流して整流出力を発生させる整流手段を具備する外部の装置に対して、該所定の交流出力または所定の直流出力を供給する電源装置において、
所定の交流入力の入力電圧に基づいて所定の制御信号を出力する入力電圧監視部と、
前記外部の装置に前記所定の直流出力を供給する二次電池と、
第１の制御端を備え、前記外部の装置に前記所定の直流出力を供給する直流ラインに挿入され、該第１の制御端に出力される前記所定の制御信号に基づいて該直流ラインを断続する第１のスイッチング素子と、
第２の制御端を備え、前記所定の交流入力を前記所定の交流出力として前記外部の装置に供給する交流ラインと、前記直流ラインから供給される直流出力および該交流ラインから供給される交流出力の両者を前記外部の装置に供給する交直両用ラインと、の間に挿入され、該第２の制御端に出力される前記所定の制御信号に基づいて該交流ラインと該交直両用ラインとの間を断続する第２のスイッチング素子と、
前記二次電池の一端に接続され、該二次電池の出力を前記外部の装置に供給可能となるように前記直流ラインに挿入される第１の整流素子と、
前記第１の整流素子に並列に接続される抵抗素子と、
前記第１のスイッチング素子に並列に接続される第２の整流素子と、
を備え、
前記直流ラインの一端側のラインと前記交流ラインの一端側のラインとが接続切り替えされることなく前記交直両用ラインの一端側のラインに常時接続されていることを特徴とする電源装置。
【発明の詳細な説明】
【０００１】
【発明の属する技術分野】
この発明は、電源装置及び給電方法に関し、特に、無停電電源及び無停電の給電方法に関する。
【０００２】
【従来の技術】
商用電源等からの電力の供給が断たれたとき、停電を検知して商用電源の代わりに電力を供給する無停電電源が広く用いられている。
無停電電源は、商用電源等より供給される交流電力を整流する整流器と、整流器が整流により生成した電流により充電される蓄電池と、蓄電池が発生する直流電圧を交流電圧へと変換する直流−交流変換器と、停電の有無を監視し、停電を検出したとき、直流−交流変換器と負荷とを接続するスイッチとを備えている。
【０００３】
【発明が解決しようとする課題】
しかし、停電が検出されてから、スイッチが直流−交流変換器と負荷とを接続するまでの間、負荷には電力が供給されず、いわゆる瞬断が発生する。このため、負荷が正常な動作を行わない場合がある。
瞬断が起こる期間を短縮するためには、スイッチをサイリスタ等の半導体スイッチング素子より構成する手法が考えられる。しかし、サイリスタ等の半導体スイッチング素子は、瞬断が検出されたことを示すトリガ信号等が供給されたとき始めて直流−交流変換器と負荷とを接続するため、瞬断の期間を０にすることはほぼ不可能である。
【０００４】
また、直流−交流変換器は、一般に、直流電圧が印加された給電線をスイッチング素子を用いて断続する構成を有しているため、ノイズを発生させる。また、無停電電源が直流−直流電圧を備えることにより、無停電電源の構成が複雑で大型となる。
【０００５】
また、スイッチにより直流−交流変換器と負荷とが接続された瞬間には、直流−交流変換器より負荷へと急激に過大な電流が流れる危険が生じ、従って、負荷が破壊される危険がある。
【０００６】
この発明は、上記実状に鑑みてなされたもので、交流電源が停電したとき、瞬断が実質的に生じないようにして直流を供給するための電源装置及び給電方法を提供することを目的とする。
また、この発明は、構成が簡単でノイズの発生量が少ない電源装置及び給電方法を提供することを目的とする。
また、この発明は、負荷に急激に過大な電流が流れないようにして、交流電源が停電したときに直流を供給するための電源装置及び給電方法を提供することを目的とする。
【０００７】
【課題を解決するための手段】
上記目的を達成するため、本発明は、供給された所定の交流出力を整流して整流出力を発生させる整流手段を具備する外部の装置に対して、該所定の交流出力または所定の直流出力を供給する電源装置において、
所定の交流入力の入力電圧に基づいて所定の制御信号を出力する入力電圧監視部と、
前記外部の装置に前記所定の直流出力を供給する二次電池と、
第１の制御端を備え、前記外部の装置に前記所定の直流出力を供給する直流ラインに挿入され、該第１の制御端に出力される前記所定の制御信号に基づいて該直流ラインを断続する第１のスイッチング素子と、
第２の制御端を備え、前記所定の交流入力を前記所定の交流出力として前記外部の装置に供給する交流ラインと、前記直流ラインから供給される直流出力および該交流ラインから供給される交流出力の両者を前記外部の装置に供給する交直両用ラインと、の間に挿入され、該第２の制御端に出力される前記所定の制御信号に基づいて該交流ラインと該交直両用ラインとの間を断続する第２のスイッチング素子と、
前記二次電池の一端に接続され、該二次電池の出力を前記外部の装置に供給可能となるように前記直流ラインに挿入される第１の整流素子と、
前記第１の整流素子に並列に接続される抵抗素子と、
前記第１のスイッチング素子に並列に接続される第２の整流素子と、
を備え、
前記直流ラインの一端側のラインと前記交流ラインの一端側のラインとが接続切り替えされることなく前記交直両用ラインの一端側のラインに常時接続されていることを特徴とする。
【０００８】
なお、上述のような電源装置において、交流出力が下限値に達しないと判別された場合（例えば、停電した場合）、二次電池が発生する直流出力が供給される。従って、このような電源装置は、ノイズの発生源となる直流−交流変換器を備える必要がなく、構成も簡単となる。
【００２０】
【発明の実施の形態】
以下、図面を参照して、この発明の実施の形態を、直流ＵＰＳ（Uninterruptible Power Supply）を例として説明する。
【００２１】
（第１の実施の形態）
図１は、この発明の第１の実施の形態にかかる直流ＵＰＳの構成を示す回路図である。図示するように、直流ＵＰＳ１は、整流器ＲＥＣＴ１と、ダイオードＤ１と、二次電池Ｂと、充電制御部ＣＳとより構成されており、一対の交流入力端と、一対の交流出力端と、正極及び負極からなる直流出力端とを備えている。
【００２２】
整流器ＲＥＣＴ１は、例えばブリッジ型整流回路より構成されており、一対の入力端と、正極及び負極からなる出力端とを備えている。整流器ＲＥＣＴ１は、自己の各入力端間に印加された交流電圧を整流して、整流により得られた整流電圧を、自己の出力端の両極間に（ただし、出力端の正極が負極より低電位にならないようにして）発生する。
整流器ＲＥＣＴ１の各入力端は、直流ＵＰＳ１の各交流入力端に１対１に接続されており、且つ、直流ＵＰＳ１の各交流出力端に１対１に接続されている。整流器ＲＥＣＴ１の出力端の正極は、直流ＵＰＳ１の直流出力端の正極と、充電制御部ＣＳの後述する駆動端子ｉｎ＋の正極とに接続されており、整流器ＲＥＣＴ１の出力端の負極は、直流ＵＰＳ１の直流出力端の負極と、充電制御部ＣＳの駆動端子の負極ｉｎ−とに接続されている。
【００２３】
ダイオードＤ１はアノード及びカソードを備えており、ダイオードＤ１のアノードは二次電池Ｂの正極に接続されており、カソードは、直流ＵＰＳ１の直流出力端の正極に接続されている。
【００２４】
充電制御部ＣＳは駆動端子及び充電端子を備えており、駆動端子は、正極ｉｎ＋及び負極ｉｎ−を備え、充電端子は、正極ｏｕｔ＋及び負極ｏｕｔ−を備えている。
充電制御部ＣＳの駆動端子の正極ｉｎ＋は、整流器ＲＥＣＴ１の出力端の正極に接続されており、駆動端子の負極ｉｎ−は、整流器ＲＥＣＴ１の出力端の負極に接続されている。充電制御部ＣＳの充電端子の正極ｏｕｔ＋は二次電池Ｂの正極に接続されており、充電端子の負極ｏｕｔ−は二次電池Ｂの負極に接続されている。
【００２５】
充電制御部ＣＳは、駆動端子の正極ｉｎ＋と負極ｉｎ−との間に印加された（ただし、正極ｉｎ＋が負極ｉｎ−より高電位になるように印加された）電圧により駆動され、充電端子の正極ｏｕｔ＋から負極ｏｕｔ−へと、二次電池Ｂを充電するための電流を流す。
【００２６】
充電制御部ＣＳは、充電端子の正極ｏｕｔ＋から負極ｏｕｔ−へと流す電流の大きさを、二次電池Ｂが適切な条件の下で充電されるよう制御する。二次電池Ｂを充電する適切な条件を決定するため、充電制御部ＣＳは、例えば、充電端子の正極ｏｕｔ＋と負極ｏｕｔ−との間の電圧を継続的に測定することにより、二次電池Ｂが発生している起電力の大きさを検出し、検出結果に基づいて、極ｏｕｔ＋から負極ｏｕｔ−へと流す電流の大きさを決定する。
【００２７】
二次電池Ｂは、正極及び負極を備え、電荷の充電及び放電を行う。二次電池Ｂの正極は、上述の通りダイオードＤ１のアノード及び充電制御部ＣＳの充電端子の正極ｏｕｔ＋に接続されており、二次電池Ｂの負極は、直流ＵＰＳ１の直流出力端の負極と、充電制御部ＣＳの充電端子の負極ｏｕｔ−とに接続されている。
なお、二次電池Ｂが発生する起電力の大きさは、直流ＵＰＳ１の交流入力端間に印加する対象の交流電圧の尖頭値の所期の大きさからダイオードＤ１の順方向電圧の大きさを差し引いた値より小さな値となるよう設定されている。
【００２８】
次に、直流ＵＰＳ１が、電力を供給する対象である電気機器２に電力を供給する動作を説明する。
ただし、電気機器２は、図１に示すように、一対の交流入力端と、正極及び負極からなる直流入力端と、整流器ＲＥＣＴ２と、コンデンサＣ１とを備えるものとする。
整流器ＲＥＣＴ２は、例えば整流器ＲＥＣＴ１と実質的に同一の構成を有している。整流器ＲＥＣＴ２の各入力端は、電気機器２の各交流入力端に１対１に接続されている。整流器ＲＥＣＴ２の出力端の両極間にはコンデンサＣ１が接続されており、また、整流器ＲＥＣＴ２の出力端の両極間には、電気機器２の各部を構成する回路等が接続されている。更に、整流器ＲＥＣＴ２の出力端の正極は電気機器２の直流入力端の正極に接続されており、整流器ＲＥＣＴ２の出力端の負極は電気機器２の直流入力端の負極に接続されている。
【００２９】
そして、直流ＵＰＳ１の各交流出力端と電気機器２の各交流入力端とを１対１に接続し、直流ＵＰＳ１の直流出力端の正極が電気機器２の直流入力端の正極に接続され、直流ＵＰＳ１の直流出力端の負極が電気機器２の直流入力端の負極に接続され、直流ＵＰＳ１の各交流入力端間に、図１に示すように、外部の交流電源ＡＣＶより単相交流電圧が印加されたとする。なお、この単相交流電圧の尖頭値の大きさは、二次電池Ｂの起電力の大きさとダイオードＤ１の順方向電圧の大きさとの和以上であるとする。
【００３０】
すると、整流器ＲＥＣＴ１及びＲＥＣＴ２は、いずれも、直流ＵＰＳ１の交流入力端間に印加された単相交流電圧を整流して、整流電圧を各自の出力端間に発生させる。
また、整流器ＲＥＣＴ２の出力端の両極間に発生した整流電圧はコンデンサＣ１により平滑化され、平滑化された整流器ＲＥＣＴ２の整流電圧により、電気機器２の各部が駆動される。また、整流器ＲＥＣＴ１の出力端の両極間に発生した整流電圧もコンデンサＣ１により平滑化され、平滑化された整流器ＲＥＣＴ１の整流電圧も、電気機器２の各部の駆動に寄与する。
【００３１】
また、整流器ＲＥＣＴ１が整流電圧を発生する結果、充電制御部ＣＳの駆動端子の正極ｉｎ＋が負極ｉｎ−より高電位になり、充電制御部ＣＳが駆動される。すると、充電制御部ＣＳの充電端子の正極ｏｕｔ＋から、二次電池Ｂの正極及び負極を順に経て充電制御部ＣＳの充電端子の負極ｏｕｔ−へと至る電流が流れ、二次電池Ｂが充電される。
【００３２】
そして、コンデンサＣ１により平滑化された整流器ＲＥＣＴ２の整流電圧の大きさは、直流ＵＰＳ１の交流入力端間に印加された単相交流電圧の尖頭値にほぼ等しくなる。このため、二次電池Ｂの負極の電位を基準とした場合、整流器ＲＥＣＴ２の出力端の正極とコンデンサＣ１との接続点の電圧は、二次電池Ｂの正極の電圧より高くなる。
従って、ダイオードＤ１は逆バイアスされ、整流器ＲＥＣＴ２の出力端の正極とコンデンサＣ１の接続点から二次電池Ｂの正極へと至る電流路は実質的に遮断される。また、二次電池Ｂが電荷を放電する経路が実質的に存在しなくなる。
【００３３】
次に、直流ＵＰＳ１の交流入力端間に印加された単相交流電圧の尖頭値が二次電池Ｂの起電力の大きさとダイオードＤ１の順方向電圧の大きさとの和を下回った（例えば、直流ＵＰＳ１の交流入力端間に単相交流電圧が実質的に印加されなくなった）とする。
【００３４】
この場合、コンデンサＣ１により平滑化された整流器ＲＥＣＴ２の整流電圧の大きさも、二次電池Ｂの起電力の大きさとダイオードＤ１の順方向電圧の大きさとの和を下回る。このため、整流器ＲＥＣＴ２の出力端の正極とコンデンサＣ１との接続点は二次電池Ｂの正極の電圧より低電位となり、ダイオードＤ１が順バイアスされる。
この結果、二次電池Ｂの正極から、ダイオードＤ１を経て電気機器２の各部を流れ、二次電池Ｂの負極へと戻る電流路が形成され、二次電池Ｂは放電を行う。
【００３５】
以上説明した動作を繰り返すことにより、直流ＵＰＳ１は、自己の交流入力端間に印加されている単相交流電圧の尖頭値が二次電池Ｂの起電力の大きさとダイオードＤ１の順方向電圧の大きさとの和より小さくなったとき、二次電池Ｂから電気機器２への電力の供給を行う。
【００３６】
なお、例えば、コンデンサＣ１がいわゆる容量抜けを起こし、実質的に平滑化を行わなくなった場合は、直流ＵＰＳ１の交流入力端間に印加された単相交流電圧の尖頭値が二次電池Ｂの起電力の大きさとダイオードＤ１の順方向電圧の大きさとの和以上であっても、整流器ＲＥＣＴ２の出力端の正極の電圧が二次電池Ｂの起電力の大きさとダイオードＤ１の順方向電圧の大きさとの和を下回る場合が生じる。
【００３７】
しかし、この場合もダイオードＤ１が順バイアスされ、二次電池Ｂから電気機器２への電力の供給が行われる。従って、電気機器２の各部は、コンデンサＣ１が平滑化を行わないことによる影響を受けずに、直流ＵＰＳ１からの電力の供給を受ける。また、電気機器２がコンデンサＣ１を備えていない場合も同様に、電気機器２の各部は、平滑化を行うべきコンデンサＣ１が存在しないことによる影響を受けずに、直流ＵＰＳ１からの電力の供給を受ける。
【００３８】
なお、直流ＵＰＳ１の構成は上述のものに限られない。
例えば、直流ＵＰＳ１は、図２に示すような構成を有していてもよい。
図示するように、図２の構成の直流ＵＰＳ１においては、ダイオードＤ１のカソードは二次電池Ｂの負極に接続されており、アノードが、直流ＵＰＳ１の直流出力端の負極に接続されている。また、二次電池Ｂの正極はダイオードＤ１には接続されず、直流ＵＰＳ１の直流出力端の正極に接続される。二次電池Ｂの負極は、整流器ＲＥＣＴ１や、直流ＵＰＳ１の直流出力端には接続されていない。なお、その他の各部の構成は、図１の構成と実質的に同一である。
【００３９】
図示するように、図２の直流ＵＰＳ１の直流出力端の各極及び各交流出力端が、図１に示す接続関係と実質的に同一の接続関係をとるようにして電気機器２の直流入力端の各極及び各交流入力端と接続された状態で、直流ＵＰＳ１の各交流入力端間に、外部の交流電源ＡＣＶより単相交流電圧が印加されたとする。
すると、整流器ＲＥＣＴ１及びＲＥＣＴ２は、いずれもこの単相交流電圧を整流して、整流電圧を発生させる。この結果、充電制御部ＣＳが駆動され、二次電池Ｂが充電される。また、整流器ＲＥＣＴ１及びＲＥＣＴ２が発生する整流電圧がコンデンサＣ１により平滑化されることにより得られる電圧により、電気機器２の各部が駆動される。
【００４０】
この単相交流電圧の尖頭値の大きさが二次電池Ｂの起電力の大きさとダイオードＤ１の順方向電圧の大きさとの和以上である場合、ダイオードＤ１は逆バイアスされ、二次電池Ｂの負極から整流器ＲＥＣＴ２の出力端の負極とコンデンサＣ１の接続点へと至る電流路は実質的に遮断される。従って、二次電池Ｂが電荷を放電する経路が実質的に存在しなくなる。
【００４１】
次に、直流ＵＰＳ１の交流入力端間に印加された単相交流電圧の尖頭値が二次電池Ｂの起電力の大きさとダイオードＤ１の順方向電圧の大きさとの和を下回ったとする。この場合、ダイオードＤ１は順バイアスされ、二次電池Ｂの正極から、電気機器２の各部を流れ、ダイオードＤ１を経て二次電池Ｂの負極へと戻る電流路が形成され、二次電池Ｂは放電を行う。
【００４２】
従って、図２の構成の直流ＵＰＳ１も、自己の交流入力端間に印加されている単相交流電圧の尖頭値が二次電池Ｂの起電力の大きさとダイオードＤ１の順方向電圧の大きさとの和より小さくなったとき、二次電池Ｂから電気機器２への電力の供給を行う。
【００４３】
また、コンデンサＣ１が実質的に平滑化を行わない場合や、電気機器２がコンデンサＣ１を備えていない場合も、整流器ＲＥＣＴ２の出力端の正極の電圧が二次電池Ｂの起電力の大きさとダイオードＤ１の順方向電圧の大きさとの和を下回る場合はダイオードＤ１が順バイアスされる。このため、二次電池Ｂから電気機器２への電力の供給が行われる。
【００４４】
なお、図１及び図２の構成の直流ＵＰＳ１は、直流出力端の両極間に接続された平滑用のコンデンサを更に備えるようにしてもよい。これにより、整流器ＲＥＣＴ２の出力端の正極の電圧が二次電池Ｂの起電力の大きさとダイオードＤ１の順方向電圧の大きさとの和を下回る場合にダイオードＤ１がより確実に順バイアスされる。
【００４５】
（第２の実施の形態）
図３は、この発明の第２の実施の形態にかかる直流ＵＰＳ３の構成を示す回路図である。図示するように、直流ＵＰＳ３は、整流器ＲＥＣＴ１と、二次電池Ｂと、充電制御部ＣＳと、コイルＬと、停電監視部ＲＥＦと、スイッチング素子ＳＷＤとより構成されており、一対の交流入力端と、正極及び負極からなる電源出力端とを備えている。
なお、整流器ＲＥＣＴ１、二次電池Ｂ及び充電制御部ＣＳは、図１の構成におけるものと実質的に同一のものである。ただし、図３の構成において、二次電池Ｂの起電力の大きさは、直流ＵＰＳ３の交流入力端間に印加する対象の交流電圧の尖頭値の所期の大きさ以下であればよい。
【００４６】
整流器ＲＥＣＴ１の各入力端は、直流ＵＰＳ３の各交流入力端に１対１に接続されている。整流器ＲＥＣＴ１の出力端の正極は充電制御部ＣＳの駆動端子の正極ｉｎ＋に接続されており、整流器ＲＥＣＴ１の出力端の負極は、充電制御部ＣＳの駆動端子の負極ｉｎ−と、スイッチング素子ＳＷＤの後述する端子ｂ２とに接続されている。
充電制御部ＣＳの充電端子の正極ｏｕｔ＋は二次電池Ｂの正極に接続されている。充電制御部ＣＳの充電端子の負極ｏｕｔ−は、二次電池Ｂの負極と、整流器ＲＥＣＴ１の出力端の負極と、スイッチング素子ＳＷＤの端子ｂ２とに接続されている。
【００４７】
コイルＬは、二次電池Ｂの正極と、スイッチング素子ＳＷＤの後述する端子ａ２との間に接続されている。
停電監視部ＲＥＦは、コンパレータ等より構成されており、一対の参照端と、制御出力端とを備える。停電監視部ＲＥＦは、自己の各参照端間の電圧が所定の下限値に達しているか否かを判別し、達していないと判別したとき、所定の制御信号を自己の制御出力端より出力する。
【００４８】
スイッチング素子ＳＷＤは、例えば、２回路４接点のリレー等より構成され、制御入力端ｃｏｎｔと、端子ａｃｏｍ、ａ１、ａ２、ｂｃｏｍ、ｂ１及びｂ２を備える。
スイッチング素子ＳＷＤは、自己の制御入力端ｃｏｎｔに上述の制御信号が供給されていないとき、自己の端子ａｃｏｍと端子ａ１との間及び端子ｂｃｏｍと端子ｂ１との間を導通させ、端子ａｃｏｍと端子ａ２との間及び端子ｂｃｏｍと端子ｂ２との間を遮断する。一方、制御入力端ｃｏｎｔに制御信号が供給されると、端子ａｃｏｍ−ａ２間及び端子ｂｃｏｍ−ｂ２間を導通させ、端子ａｃｏｍ−ａ１間及び端子ｂｃｏｍ−ｂ１間を実質的に遮断する。なお、制御入力端ｃｏｎｔと、端子ａｃｏｍ、ａ１、ａ２、ｂｃｏｍ、ｂ１及びｂ２との間は、実質的に絶縁状態にある。
【００４９】
スイッチング素子ＳＷＤの端子ｃｏｎｔは、停電監視部ＲＥＦの制御出力端に接続されている。端子ａｃｏｍは、直流ＵＰＳ３の電源出力端の正極に接続されている。端子ｂｃｏｍは、直流ＵＰＳ３の電源出力端の負極に接続されている。端子ａ１及びｂ１は、直流ＵＰＳ３の一対の交流入力端に１対１に接続されている。端子ａ２は、上述の通り、コイルＬを介して二次電池Ｂの正極に接続されている。端子ｂ２は、上述の通り、整流器ＲＥＣＴ１の出力端の負極及び二次電池Ｂの負極に接続されている。
【００５０】
次に、直流ＵＰＳ３が、図３に示す構成を有している電気機器４に電力を供給する動作を説明する。
図３に示すように、電気機器４の構成は、図１の電気機器２の構成と実質的に同一である。ただし、図１の電気機器２において各交流入力端をなしている一対の端は、図３の電気機器４の一対の電源入力端をなしている。また、図４の電気機器４は、直流入力端を必ずしも備えない。
【００５１】
そして、図示するように、直流ＵＰＳ３の電源出力端の正極が電気機器４の電源入力端の一方に接続され、直流ＵＰＳ３の電源出力端の負極が電気機器４の電源入力端の他方に接続され、直流ＵＰＳ３の各交流入力端間に、外部の交流電源ＡＣＶより、尖頭値が上述の下限値以上である単相交流電圧が印加されたとする。すると、整流器ＲＥＣＴ１は、直流ＵＰＳ３の交流入力端間に印加された単相交流電圧を整流して、整流電圧を発生させる。
【００５２】
このとき、停電監視部ＲＥＦは制御信号の供給を行わない。この結果、スイッチング素子ＳＷＤの端子ａｃｏｍと端子ａ１との間が導通し、端子ｂｃｏｍと端子ｂ１との間も導通し、端子ａｃｏｍと端子ａ２との間が実質的に遮断され、端子ｂｃｏｍと端子ｂ２との間も実質的に遮断される。
【００５３】
従って、電気機器４の各電源入力端間にも、直流ＵＰＳ３の各交流入力端間に印加されている単相交流電圧が印加される。このため、整流器ＲＥＣＴ２もこの単相交流電圧を整流して、整流電圧を発生させる。
また、整流器ＲＥＣＴ１が発生する整流電圧により充電制御部ＣＳが駆動され、二次電池Ｂが充電される。また、コンデンサＣ１により平滑化された整流器ＲＥＣＴ２の整流電圧により、電気機器４の各部が駆動される。
【００５４】
次に、直流ＵＰＳ３の交流入力端間に印加された単相交流電圧の尖頭値が下限値に達しない値になったとする。
この場合、停電監視部ＲＥＦは自己の制御出力端からスイッチング素子ＳＷＤの制御入力端ｃｏｎｔに制御信号を供給する。この結果、スイッチング素子ＳＷＤの端子ａｃｏｍと端子ａ２との間が導通し、端子ｂｃｏｍと端子ｂ２との間も導通し、端子ａｃｏｍと端子ａ１との間が実質的に遮断され、端子ｂｃｏｍと端子ｂ１との間も実質的に遮断される。
【００５５】
この結果、二次電池Ｂの正極から、コイルＬ、電気機器４の電源入力端の一方を経て電気機器４の各部を流れ、電気機器４の電源入力端の他方から二次電池Ｂの負極へと戻る電流路が形成され、二次電池Ｂは放電を行う。ただし、放電が開始された瞬間、コイルＬには、二次電池Ｂから電気機器４への電流の供給を妨げる向きの逆起電力が発生するので、二次電池Ｂから電気機器４への急激な電流の突入は起こらず、コイルＬの逆起電力が減衰するに従って、二次電池Ｂから電気機器４へと流れる電流の大きさは増大してゆく。
【００５６】
以上説明した動作を繰り返すことにより、直流ＵＰＳ３は、自己の交流入力端間に印加されている単相交流電圧の尖頭値が所定の下限値に達しなくなったとき、二次電池Ｂから電気機器４への電力の供給を行う。
【００５７】
なお、直流ＵＰＳ３の構成も上述のものに限られない。
例えば、直流ＵＰＳ３は、図４に示すような構成を有していてもよい。
図示するように、図４の構成の直流ＵＰＳ３においては、コイルＬは、二次電池Ｂの負極と、スイッチング素子ＳＷＤの端子ｂ２との間に接続されている。二次電池Ｂの正極は、コイルＬには接続されておらず、充電制御部ＣＳの充電端子の正極ｏｕｔ＋と、整流器ＲＥＣＴ１の出力端の正極と、スイッチング素子ＳＷＤの端子ａ２とに接続される。二次電池Ｂの負極は、整流器ＲＥＣＴ１や、スイッチング素子ＳＷＤには接続されていない。なお、その他の各部の構成は、図３の構成と実質的に同一である。
【００５８】
図示するように、図４の直流ＵＰＳ３の電源出力端の各極が、図３に示す接続関係と実質的に同一の接続関係をとるようにして電気機器４の各電源入力端と接続された状態で、直流ＵＰＳ３の各交流入力端間に、外部の交流電源ＡＣＶより、尖頭値が上述の下限値以上である単相交流電圧が印加されたとする。
【００５９】
すると、整流器ＲＥＣＴ１はこの単相交流電圧を整流して、整流電圧を発生させるので、充電制御部ＣＳが駆動され、二次電池Ｂが充電される。
また、停電監視部ＲＥＦは制御信号の供給を行わないので、電気機器４の各電源入力端間にも、直流ＵＰＳ３の各交流入力端間に印加されている単相交流電圧が印加される。このため、整流器ＲＥＣＴ２も整流電圧を発生させ、電気機器４の各部が駆動される。
【００６０】
次に、図４の直流ＵＰＳ３の交流入力端間に印加された単相交流電圧の尖頭値が下限値に達しない値になったとする。
この場合、停電監視部ＲＥＦは自己の制御出力端から制御信号を供給するので、二次電池Ｂの正極から、電気機器４の電源入力端の一方を経て電気機器４の各部を流れ、電気機器４の電源入力端の他方から、コイルＬを経て二次電池Ｂの負極へと戻る電流路が形成され、二次電池Ｂは放電を行う。ただし、放電が開始された瞬間よりコイルＬが発生する逆起電力のため、二次電池Ｂから電気機器４へと流れる電流の大きさは、コイルＬの逆起電力が減衰するに従って増大する。
従って、図４の構成の直流ＵＰＳ３も、自己の交流入力端間に印加されている単相交流電圧の尖頭値が所定の下限値に達しなくなったとき、二次電池Ｂから電気機器４への電力の供給を行う。
【００６１】
また、整流器ＲＥＣＴ１は、図１〜図４に示すものに限らず、例えば、図５に示すものであってもよい。図５に示す整流器ＲＥＣＴ１は、入力端、共通端及び出力端を備え、自己の入力端−共通端間に印加された交流電圧を整流して、整流により得られた整流電圧を、自己の出力端−共通端間に（ただし、出力端が共通端より低電位にならないようにして）発生する。図５の整流器ＲＥＣＴ１は、例えば半波整流回路より構成されていればよい。
【００６２】
整流器ＲＥＣＴ１が図５に示すものである場合、スイッチング素子ＳＷＤは、端子ｂｃｏｍ、ｂ１及びｂ２を備える必要はなく、図５に示すように、制御入力端ｃｏｎｔと、端子ａｃｏｍ、ａ１及びａ２とを備えていればよい。
そして、直流ＵＰＳ３の各部のうち、図３の構成において整流器ＲＥＣＴ１の出力端の負極に接続されるべき箇所は、整流器ＲＥＣＴ１の共通端と、直流ＵＰＳ３の電源出力端の負極とに接続されるものとする。また、直流ＵＰＳ３の各部のうち図３の構成においてスイッチング素子ＳＷＤの端子ｂ１に接続されるべき箇所も、整流器ＲＥＣＴ１の共通端に接続されるものとする。
【００６３】
図示するように、図５の直流ＵＰＳ３の電源出力端の各極が、図３に示す接続関係と実質的に同一の接続関係をとるようにして電気機器４の各電源入力端と接続された状態で、図５の直流ＵＰＳ３の各交流入力端間に、外部の交流電源ＡＣＶより、尖頭値が上述の下限値以上である単相交流電圧が印加されたとする。すると、この単相交流電圧は、整流器ＲＥＣＴ１の入力端−共通端間に印加される。
【００６４】
この場合、直流ＵＰＳ３の交流入力端間に印加された単相交流電圧の尖頭値が上述の下限値以上であれば、スイッチング素子ＳＷＤの端子ａｃｏｍと端子ａ１との間が導通し、端子ａｃｏｍと端子ａ２との間が実質的に遮断される。従って、電気機器４の各電源入力端間に、整流器ＲＥＣＴ１の入力端−共通端間に印加されている単相交流電圧が印加される。
【００６５】
次に、直流ＵＰＳ３の交流入力端間に印加された単相交流電圧の尖頭値が下限値に達しない値であれば、スイッチング素子ＳＷＤの端子ａｃｏｍと端子ａ１との間が実質的に遮断され、端子ａｃｏｍと端子ａ２との間が実質的に導通する。この結果、二次電池Ｂの正極から、コイルＬ、電気機器４の電源入力端の一方を経て電気機器４の各部を流れ、電気機器４の電源入力端の他方から二次電池Ｂの負極へと戻る電流路が形成され、二次電池Ｂは放電を行う。
【００６６】
また、整流器ＲＥＣＴ１が入力端、共通端及び出力端を備える場合、整流器ＲＥＣＴ１は、整流により得られた整流電圧を、出力端が共通端より高電位にならないようにして、自己の出力端−共通端間に発生するものであってもよい。この場合、直流ＵＰＳ３は、図６に示す構成を有していればよい。
【００６７】
すなわち、図６に示すように、スイッチング素子ＳＷＤは、端子ａｃｏｍ、ａ１及びａ２を備える必要がなく、図示するように、制御入力端ｃｏｎｔと、端子ｂｃｏｍ、ｂ１及びｂ２とを備えていればよい。そして、直流ＵＰＳ３の各部のうち、図４の構成において整流器ＲＥＣＴ１の出力端の正極に接続されるべき箇所は、整流器ＲＥＣＴ１の共通端と、直流ＵＰＳ３の電源出力端の正極とに接続されるものとする。また、直流ＵＰＳ３の各部のうち図４の構成においてスイッチング素子ＳＷＤの端子ａ１に接続されるべき箇所は、整流器ＲＥＣＴ１の共通端に接続されるものとする。
【００６８】
図示するように、図６の直流ＵＰＳ３の電源出力端の各極が、図３や図４に示す接続関係と実質的に同一の接続関係をとるようにして電気機器４の各電源入力端と接続された状態で、図６の直流ＵＰＳ３の各交流入力端間に、外部の交流電源ＡＣＶより、尖頭値が上述の下限値以上である単相交流電圧が印加されたとする。
【００６９】
そして、直流ＵＰＳ３の交流入力端間に印加された単相交流電圧の尖頭値が上述の下限値以上であれば、スイッチング素子ＳＷＤの端子ｂｃｏｍと端子ｂ１との間が導通し、端子ｂｃｏｍと端子ｂ２との間が実質的に遮断される。従って、電気機器４の各電源入力端間に、整流器ＲＥＣＴ１の入力端−共通端間に印加されている単相交流電圧が印加される。
【００７０】
一方、直流ＵＰＳ３の交流入力端間に印加された単相交流電圧の尖頭値が下限値に達しない値であれば、スイッチング素子ＳＷＤの端子ｂｃｏｍと端子ｂ１との間が実質的に遮断され、端子ｂｃｏｍと端子ｂ２との間が実質的に導通する。この結果、二次電池Ｂの正極から、電気機器４の電源入力端の一方を経て電気機器４の各部を流れ、電気機器４の電源入力端の他方からコイルＬを経て二次電池Ｂの負極へと戻る電流路が形成され、二次電池Ｂは放電を行う。
【００７１】
（第３の実施の形態）
図７は、この発明の第３の実施の形態にかかる直流ＵＰＳ５の構成を示す回路図である。図示するように、直流ＵＰＳ５は、停電監視部ＲＥＦと、インバータＩＮＶと、変成器Ｔと、コンデンサＣ２と、二次電池Ｂと、トランジスタＱ１及びＱ２と、抵抗器Ｒ１〜Ｒ３と、ダイオードＤ２とより構成されており、一対の交流入力端と、正極及び負極からなる電源出力端とを備えている。
なお、停電監視部ＲＥＦ及び二次電池Ｂは、図３の構成におけるものと実質的に同一のものであり、ダイオードＤ２は、例えば、図１の構成におけるダイオードＤ１と実質的に同一の構成を有する。
ただし、停電監視部ＲＥＦは、制御信号を構成するものとして、自己の制御出力端から、所定のハイレベル電圧を出力するものとする。また、制御信号を供給しないとき（すなわち、制御出力端よりハイレベル電圧を出力しないとき）、所定のローレベル電圧を出力するものとする。
【００７２】
変成器Ｔは、一次巻線及び二次巻線を備えている。
変成器Ｔの一次巻線の両端は、直流ＵＰＳ５の各交流入力端に１対１に接続されている。二次巻線の一端は、直流ＵＰＳ５の電源出力端の正極に接続されており、他端は、二次電池Ｂの正極に接続されている。
【００７３】
二次電池Ｂの正極は、上述の通り、変成器Ｔの二次巻線の両端のうち直流ＵＰＳ５の電源出力端に接続されていない方の端に接続されており、二次電池Ｂの負極は、トランジスタＱ２の後述するソースに接続されている。
コンデンサＣ２は、変成器Ｔの二次巻線の両端間に接続されている。
【００７４】
インバータＩＮＶは、入力端及び出力端を備え、自己の入力端に上述のローレベル電圧が供給されたとき自己の出力端に上述のハイレベル電圧を発生し、自己の入力端にハイレベル電圧が供給されたとき自己の出力端にローレベル電圧を発生する。
インバータＩＮＶの入力端は停電監視部ＲＥＦの制御出力端に接続されており、インバータＩＮＶの出力端は、トランジスタＱ１の後述するゲートに接続されている。
【００７５】
トランジスタＱ１及びＱ２は、いずれも、ｎチャネルエンハンスメント型ＭＯＳＦＥＴ（Metal-Oxide-Silicon Field Effect Transistor）より構成されており、それぞれ、ゲート、ソース及びドレインを備える。そして、各自のソースの電位を基準とした各自のゲートの電圧が上述のハイレベル電圧であるときトランジスタＱ１及びＱ２はそれぞれオンする（すなわち、各自のドレイン−ソース間を実質的に導通させる）ものとする。また、各自のソースの電位を基準とした各自のゲートの電圧が上述のローレベル電圧であるときトランジスタＱ１及びＱ２はそれぞれオフする（すなわち、各自のドレイン−ソース間を実質的に遮断する）ものとする。
【００７６】
トランジスタＱ１のゲートは、インバータＩＮＶの出力端に接続されており、トランジスタＱ１のソースは、直流ＵＰＳ５の電源出力端の負極に接続されており、トランジスタＱ１のドレインは、二次電池Ｂの正極に接続されている。
トランジスタＱ２のゲートは、停電監視部ＲＥＦの制御出力端に接続されており、トランジスタＱ２のソースは、二次電池Ｂの負極に接続されており、トランジスタＱ２のドレインは、直流ＵＰＳ５の電源出力端の負極に接続されている。
【００７７】
抵抗器Ｒ１は、トランジスタＱ１のゲートとトランジスタＱ１のソースとの間に接続されている。抵抗器Ｒ２は、トランジスタＱ２のゲートとトランジスタＱ２のソースとの間に接続されている。
抵抗器Ｒ３は、ダイオードＤ２とカスケードに接続されて直列回路を形成する。抵抗器Ｒ３とダイオードＤ２とが形成する直列回路の両端のうち、ダイオードＤ２のアノードに近い方の端は二次電池Ｂの負極に接続されており、ダイオードＤ２のカソードに近い方の端は直流ＵＰＳ５の電源出力端の正極に接続されている。
【００７８】
次に、直流ＵＰＳ５が、図３に示す構成を有している電気機器４に電力を供給する動作を説明する。
【００７９】
図７に示すように、直流ＵＰＳ５の電源出力端の正極及び負極が電気機器４の各電源入力端に１対１に接続され、直流ＵＰＳ５の各交流入力端間に、外部の交流電源ＡＣＶより、尖頭値が上述の下限値以上である単相交流電圧が印加されたとする。
【００８０】
すると、停電監視部ＲＥＦは自己の制御出力端から、トランジスタＱ２のゲート及びインバータＩＮＶの入力端へと、制御信号を構成するローレベル電圧を供給する。そして、インバータＩＮＶは、自己の入力端にローレベル電圧を供給された結果、自己の出力端よりトランジスタＱ１のゲートへとハイレベル電圧を出力する。
【００８１】
この結果、トランジスタＱ１がオンし、トランジスタＱ２がオフする。すると、変成器Ｔの二次巻線から、直流ＵＰＳ５の電源出力端の正極、電気機器４、直流ＵＰＳ５の電源出力端の負極、トランジスタＱ１のソース−ドレイン間を介して変成器Ｔの二次巻線へと至る電流路が形成される。このため、直流ＵＰＳ５の交流入力端を介して変成器Ｔの一次巻線の両端間に印加された単相交流電圧により変成器Ｔの二次巻線に誘起された交流電圧が、電気機器４へと供給される。
【００８２】
一方、変成器Ｔの二次巻線に交流電圧が誘起される結果、変成器Ｔの二次巻線の両端のうち、二次電池Ｂの正極に接続されている方の端が、他方の端に比べ高電位になると、変成器Ｔの二次巻線から、二次電池Ｂ及びダイオードＤ２を経て変成器Ｔの二次巻線に戻る電流が流れる。このため、二次電池Ｂが充電される。
【００８３】
次に、直流ＵＰＳ５の交流入力端間に印加された単相交流電圧の尖頭値が下限値に達しない値になったとする。
すると、停電監視部ＲＥＦは自己の制御出力端から、トランジスタＱ２のゲート及びインバータＩＮＶの入力端へとハイレベル電圧を供給し、インバータＩＮＶは、自己の出力端からトランジスタＱ１のゲートへとローレベル電圧を供給する。
【００８４】
この結果、トランジスタＱ２がオンし、トランジスタＱ１がオフする。すると、二次電池Ｂの正極から、変成器Ｔの二次巻線、直流ＵＰＳ５の電源出力端の正極、電気機器４、直流ＵＰＳ５の電源出力端の負極、トランジスタＱ２のドレイン−ソース間を順に経て二次電池Ｂの負極へと至る電流路が形成される。このため、二次電池Ｂが発生する直流電圧が、電気機器４へと供給される。
ただし、二次電池Ｂが放電を開始した瞬間、変成器Ｔの二次巻線には、二次電池Ｂから電気機器４への電流の供給を妨げる向きの逆起電力が発生するので、二次電池Ｂから電気機器４への急激な電流の突入は起こらず、この逆起電力が減衰するに従って、二次電池Ｂから電気機器４へと流れる電流の大きさは増大する。
【００８５】
以上説明した動作を繰り返すことにより、直流ＵＰＳ５は、自己の交流入力端間に印加されている単相交流電圧の尖頭値が所定の下限値に達しなくなったとき、二次電池Ｂから電気機器４への電力の供給を行う。一方、直流ＵＰＳ５は、自己の交流入力端間に印加されている単相交流電圧の尖頭値が所定の下限値に達しているときは、直流ＵＰＳ５の各交流入力端間に印加された単相交流電圧が変成器Ｔにより変圧された結果変成器Ｔの二次巻線の両端間に表れる電圧を、電気機器４へと供給する。
【００８６】
なお、直流ＵＰＳ５の構成も上述のものに限られない。
例えば、直流ＵＰＳ５は、図８に示すような構成を有していてもよい。
図示するように、図８の構成の直流ＵＰＳ５においては、抵抗器Ｒ３とダイオードＤ２とが形成する直列回路の両端のうち、ダイオードＤ２のアノードに近い方の端は直流ＵＰＳ５の電源出力端の負極に接続されており、ダイオードＤ２のカソードに近い方の端は二次電池Ｂの正極に接続されている。
また、二次電池Ｂの負極は、変成器Ｔの二次巻線の両端のうち直流ＵＰＳ５の電源出力端に接続されていない方の端に接続されており、二次電池Ｂの正極は、トランジスタＱ２のドレインに接続されている。
また、トランジスタＱ１のゲートは、インバータＩＮＶの出力端に接続されており、トランジスタＱ１のドレインは、直流ＵＰＳ５の電源出力端の正極に接続されており、トランジスタＱ１のソースは、二次電池Ｂの負極に接続されている。トランジスタＱ２のゲートは、停電監視部ＲＥＦの制御出力端に接続されており、トランジスタＱ２のドレインは、二次電池Ｂの正極に接続されており、トランジスタＱ２のソースは、直流ＵＰＳ５の電源出力端の正極に接続されている。なお、その他の各部の構成は、図７の構成と実質的に同一である。
【００８７】
図示するように、図８の直流ＵＰＳ５の電源出力端の各極が、図７に示す接続関係と実質的に同一の接続関係をとるようにして電気機器４の各電源入力端と接続された状態で、直流ＵＰＳ５の各交流入力端間に、外部の交流電源ＡＣＶより、尖頭値が上述の下限値以上である単相交流電圧が印加されたとする。
【００８８】
この場合、トランジスタＱ１がオンし、トランジスタＱ２がオフするので、直流ＵＰＳ５の交流入力端を介して変成器Ｔの一次巻線の両端間に印加された単相交流電圧により変成器Ｔの二次巻線に誘起された交流電圧が、電気機器４へと供給される。
また、変成器Ｔの二次巻線に交流電圧が誘起される結果、変成器Ｔの二次巻線の両端のうち、二次電池Ｂの負極に接続されている方の端が、他方の端に比べ低電位になると、変成器Ｔの二次巻線から、ダイオードＤ２及び二次電池Ｂを経て変成器Ｔの二次巻線に戻る電流が流れ、二次電池Ｂが充電される。
【００８９】
次に、直流ＵＰＳ５の交流入力端間に印加された単相交流電圧の尖頭値が下限値に達しない値になったとすると、この場合、トランジスタＱ２がオンし、トランジスタＱ１がオフする。
すると、二次電池Ｂの正極から、トランジスタＱ２のドレイン−ソース間、直流ＵＰＳ５の電源出力端の正極、電気機器４、直流ＵＰＳ５の電源出力端の負極、変成器Ｔの二次巻線を順に経て二次電池Ｂの負極へと至る電流路が形成される。このため、二次電池Ｂが発生する直流電圧が、電気機器４へと供給される。
ただし、二次電池Ｂが放電を開始した瞬間より変成器Ｔの二次巻線に発生する逆起電力のため、二次電池Ｂから電気機器４へと流れる電流の大きさは、この逆起電力が減衰するに従って増大する。
【００９０】
従って、図８の直流ＵＰＳ５も、自己の交流入力端間に印加されている単相交流電圧の尖頭値が所定の下限値に達しなくなったとき、二次電池Ｂから電気機器４への電力の供給を行う。一方、当該単相交流電圧の尖頭値が所定の下限値に達しているときは、直流ＵＰＳ５の各交流入力端間に印加された単相交流電圧が変成器Ｔにより変圧された結果変成器Ｔの二次巻線の両端間に表れる電圧を、電気機器４へと供給する。
【００９１】
また、トランジスタＱ１及びＱ２は、いずれも、ｐチャネルエンハンスメント型ＭＯＳＦＥＴより構成されていてもよい。トランジスタＱ１及びＱ２がｐチャネルエンハンスメント型ＭＯＳＦＥＴより構成されている場合、直流ＵＰＳ５は、例えば図９や図１０に示す構成を有していればよい。
【００９２】
図９に示す構成において、トランジスタＱ１のゲートは、停電監視部ＲＥＦの制御出力端に接続されており、トランジスタＱ１のドレインは、直流ＵＰＳ５の電源出力端の負極に接続されており、トランジスタＱ１のソースは、二次電池Ｂの正極に接続されている。トランジスタＱ２のゲートは、インバータＩＮＶの出力端に接続されており、トランジスタＱ２のドレインは、二次電池Ｂの正極に接続されており、トランジスタＱ２のソースは、直流ＵＰＳ５の電源出力端の負極に接続されている。なお、その他の各部の構成は、図７の構成と実質的に同一である。
【００９３】
図１０に示す構成において、トランジスタＱ１のゲートは、停電監視部ＲＥＦの制御出力端に接続されており、トランジスタＱ１のソースは、直流ＵＰＳ５の電源出力端の正極に接続されており、トランジスタＱ１のドレインは、二次電池Ｂの負極に接続されている。トランジスタＱ２のゲートは、インバータＩＮＶの出力端に接続されており、トランジスタＱ２のソースは、二次電池Ｂの正極に接続されており、トランジスタＱ２のドレインは、直流ＵＰＳ５の電源出力端の正極に接続されている。なお、その他の各部の構成は、図８の構成と実質的に同一である。
【００９４】
そして、図９及び図１０の構成において、トランジスタＱ１及びＱ２は、各自のソースの電位を基準とした各自のゲートの電圧がローレベル電圧であるときそれぞれオンし、各自のソースの電位を基準とした各自のゲートの電圧がハイレベル電圧であるときそれぞれオフするものとする。
【００９５】
図９及び図１０に示すように、図９又は図１０の構成の直流ＵＰＳ５の電源出力端の各極が、図７に示す接続関係と実質的に同一の接続関係をとるようにして電気機器４の電源入力端の各極と接続された状態で、直流ＵＰＳ５の各交流入力端間に、外部の交流電源ＡＣＶより、尖頭値が上述の下限値以上である単相交流電圧が印加されたとする。
この場合、トランジスタＱ１がオンし、トランジスタＱ２がオフするので、変成器Ｔの一次巻線の両端間に印加されたこの単相交流電圧により変成器Ｔの二次巻線に誘起された交流電圧が、電気機器４へと供給される。また、変成器Ｔの二次巻線に交流電圧が誘起される結果、二次電池Ｂが充電される。
【００９６】
一方、直流ＵＰＳ５の交流入力端間に印加された単相交流電圧の尖頭値が下限値に達しない値になったとすると、この場合、トランジスタＱ２がオンし、トランジスタＱ１がオフするため、二次電池Ｂが発生する直流電圧が、電気機器４へと供給される。
ただし、二次電池Ｂが放電を開始した瞬間より変成器Ｔの二次巻線に発生する逆起電力のため、二次電池Ｂから電気機器４へと流れる電流の大きさは、この逆起電力が減衰するに従って増大する。
【００９７】
従って、図９及び図１０の構成の直流ＵＰＳ５も、自己の交流入力端間に印加されている単相交流電圧の尖頭値が所定の下限値に達しなくなったとき、二次電池Ｂから電気機器４への電力の供給を行う。一方、当該単相交流電圧の尖頭値が所定の下限値に達しているときは、直流ＵＰＳ５の各交流入力端間に印加された単相交流電圧が変成器Ｔにより変圧された結果変成器Ｔの二次巻線の両端間に表れる電圧を、電気機器４へと供給する。
【００９８】
また、直流ＵＰＳ５は、図１１に示す構成を有していてもよい。図１１の構成の直流ＵＰＳ５は、図示するように、
（１）  トランジスタＱ２はｐチャネルエンハンスメント型ＭＯＳＦＥＴより構成されており、
（２）  図７の構成でトランジスタＱ２のソースが接続されるべき箇所にはトランジスタＱ２のドレインが接続され、図７の構成でトランジスタＱ２のドレインが接続されるべき箇所にはトランジスタＱ２のソースが接続されており、
（３）  トランジスタＱ１のゲートは、インバータＩＮＶを介して停電監視部ＲＥＦに接続される代わりに、トランジスタＱ２のゲートに接続されており、
（４）  抵抗器Ｒ２を備えない、
という点を除いて、図７に示す構成と実質的に同一の構成を有する。ただし、図１１の構成において、停電監視部ＲＥＦは、制御信号を構成するものとして自己の制御出力端から所定のローレベル電圧を出力し、制御信号を供給しないときは所定のハイレベル電圧を出力する。
【００９９】
また、直流ＵＰＳ５は、図１２に示す構成を有していてもよい。図１２の構成の直流ＵＰＳ５は、図示するように、
（５）  トランジスタＱ２はｎチャネルエンハンスメント型ＭＯＳＦＥＴより構成されており、
（６）  図１０の構成でトランジスタＱ２のソースが接続されるべき箇所にはトランジスタＱ２のドレインが接続され、図１０の構成でトランジスタＱ２のドレインが接続されるべき箇所にはトランジスタＱ２のソースが接続されており、
（７）  抵抗器Ｒ２を備えず、
（８）  トランジスタＱ２のゲートは、インバータＩＮＶを介して停電監視部ＲＥＦに接続される代わりに、トランジスタＱ１のゲートに接続されている、
という点を除いて、図１０に示す構成と実質的に同一の構成を有する。
【０１００】
図１１及び図１２に示すように、図１１又は図１２の構成の直流ＵＰＳ５の電源出力端の各極が、図７に示す接続関係と実質的に同一の接続関係をとるようにして電気機器４の電源入力端の各極と接続された状態で、直流ＵＰＳ５の各交流入力端間に、外部の交流電源ＡＣＶより、尖頭値が上述の下限値以上である単相交流電圧が印加されたとする。
この場合、トランジスタＱ１がオンし、トランジスタＱ２がオフするので、変成器Ｔの一次巻線の両端間に印加されたこの単相交流電圧により変成器Ｔの二次巻線に誘起された交流電圧が、電気機器４へと供給される。また、変成器Ｔの二次巻線に交流電圧が誘起される結果、二次電池Ｂが充電される。
【０１０１】
一方、直流ＵＰＳ５の交流入力端間に印加された単相交流電圧の尖頭値が下限値に達しない値になったとすると、この場合、トランジスタＱ２がオンし、トランジスタＱ１がオフするため、二次電池Ｂが発生する直流電圧が、電気機器４へと供給される。
ただし、二次電池Ｂが放電を開始した瞬間より変成器Ｔの二次巻線に発生する逆起電力のため、二次電池Ｂから電気機器４へと流れる電流の大きさは、この逆起電力が減衰するに従って増大する。
【０１０２】
従って、図１１及び図１２の構成の直流ＵＰＳ５も、自己の交流入力端間に印加されている単相交流電圧の尖頭値が所定の下限値に達しなくなったとき、二次電池Ｂから電気機器４への電力の供給を行う。一方、当該単相交流電圧の尖頭値が所定の下限値に達しているときは、直流ＵＰＳ５の各交流入力端間に印加された単相交流電圧が変成器Ｔにより変圧された結果変成器Ｔの二次巻線の両端間に表れる電圧を、電気機器４へと供給する。
【０１０３】
また、図７〜図１２の構成において、トランジスタＱ１及びＱ２のうち、ｎチャネルエンハンスメント型ＭＯＳＦＥＴより構成されているものは、ベース、エミッタ及びコレクタを備えるＮＰＮ型バイポーラトランジスタより構成されているものに置き換えられてもよい。また、ｐチャネルエンハンスメント型ＭＯＳＦＥＴより構成されているものは、ベース、エミッタ及びコレクタを備えるＰＮＰ型バイポーラトランジスタより構成されているものに置き換えられてもよい。
【０１０４】
ただし、この場合、トランジスタＱ１及びＱ２のいずれについても、これらがＭＯＳＦＥＴより構成される場合にそのゲート、ソース及びドレインが接続されるべき箇所には、ベース、エミッタ及びコレクタが接続されるものとする。
そして、トランジスタＱ１及びＱ２は、ＮＰＮ型バイポーラトランジスタより構成される場合、各自のエミッタの電位を基準とした各自のベースの電圧がハイレベル電圧であるときそれぞれオンし、各自のエミッタの電位を基準とした各自のベースの電圧がローレベル電圧であるときそれぞれオフするものとする。一方、トランジスタＱ１及びＱ２は、ＰＮＰ型バイポーラトランジスタより構成される場合、各自のエミッタの電位を基準とした各自のベースの電圧がローレベル電圧であるときそれぞれオンし、各自のエミッタの電位を基準とした各自のベースの電圧がハイレベル電圧であるときそれぞれオフするものとする。
【０１０５】
（第４の実施の形態）
図１３は、この発明の第４の実施の形態にかかる直流ＵＰＳ６の構成を示す回路図である。図示するように、直流ＵＰＳ６は、停電監視部ＲＥＦと、二次電池Ｂと、トランジスタＱ３及びＱ４と、抵抗器Ｒ４〜Ｒ６と、ダイオードＤ３及びＤ４とより構成されており、一対の交流入力端と、正極及び負極からなる電源出力端とを備えている。
【０１０６】
二次電池Ｂは、図３の構成におけるものと実質的に同一のものであり、ダイオードＤ３及びＤ４は、いずれも、例えば図１の構成におけるダイオードＤ１と実質的に同一の構成を有する。
二次電池Ｂの正極は、ダイオードＤ３のアノードに接続されており、二次電池Ｂの負極は、直流ＵＰＳ６の電源出力端の負極に接続されている。
【０１０７】
図１３の構成における停電監視部ＲＥＦは、コンパレータ等より構成されており、一対の参照端と、一対の制御出力端ｏｕｔａ及びｏｕｔｂとを備える。停電監視部ＲＥＦは、自己の各参照端間の電圧が所定の下限値に達しているか否かを判別する。そして、達していると判別したとき、制御出力端ｏｕｔａより、制御信号としてハイレベル電圧を出力し、制御出力端ｏｕｔｂよりローレベル電圧を出力する。一方、達していないと判別したときは、制御出力端ｏｕｔａよりローレベル電圧を出力し、制御出力端ｏｕｔｂより、制御信号としてハイレベル電圧を出力する。
【０１０８】
図１３の停電監視部ＲＥＦの各参照端は、直流ＵＰＳ６の交流入力端に１対１に接続されている。停電監視部ＲＥＦの制御出力端ｏｕｔａは、トランジスタＱ３の後述するゲートに接続されている。停電監視部ＲＥＦの制御出力端ｏｕｔｂは、トランジスタＱ４の後述するゲートに接続されている。
【０１０９】
トランジスタＱ３及びＱ４は、いずれも、ｎチャネルエンハンスメント型ＭＯＳＦＥＴより構成されており、それぞれ、ゲート、ソース及びドレインを備える。
トランジスタＱ３のゲートは、停電監視部ＲＥＦの制御出力端ｏｕｔａに接続されており、トランジスタＱ３のソースは、直流ＵＰＳ６の交流入力端の一方に接続されており、トランジスタＱ３のドレインは、直流ＵＰＳ６の電源出力端の正極に接続されている。
トランジスタＱ４のゲートは、停電監視部ＲＥＦの制御出力端ｏｕｔｂに接続されており、トランジスタＱ４のソースは、直流ＵＰＳ６の電源出力端の正極に接続されており、トランジスタＱ４のドレインは、ダイオードＤ３のカソードに接続されている。
【０１１０】
ダイオードＤ４のアノードはトランジスタＱ４のソースに接続されており、ダイオードＤ４のカソードは、トランジスタＱ４のドレインに接続されている。
【０１１１】
抵抗器Ｒ４は、トランジスタＱ３のゲートとトランジスタＱ３のソースとの間に接続されている。抵抗器Ｒ５は、トランジスタＱ４のゲートとトランジスタＱ４のソースとの間に接続されている。抵抗器Ｒ６は、ダイオードＤ３のアノード及びカソードの間に接続され、ダイオードＤ３との並列回路を形成している。
【０１１２】
図１３に示すように、図１３の構成の直流ＵＰＳ６の電源出力端の各極が、図７に示す接続関係と実質的に同一の接続関係をとるようにして電気機器４の電源入力端の各極と接続された状態で、直流ＵＰＳ６の各交流入力端間に、外部の交流電源ＡＣＶより、尖頭値が上述の下限値以上である単相交流電圧が印加されたとする。
この場合、トランジスタＱ３がオンし、トランジスタＱ４がオフするので、交流電源ＡＣＶが供給するこの単相交流電圧が、電気機器４へと供給される。
また、交流電源ＡＣＶの両端のうち、トランジスタＱ３に接続されている方の端が他方の端より高電位である期間は、ダイオードＤ４が順バイアスされる。このため、交流電源ＡＣＶから、トランジスタＱ３のソース−ドレイン間、ダイオードＤ４、抵抗器Ｒ６及び電池Ｂを順に経て交流電源ＡＣＶに戻る電流が流れ、二次電池Ｂが充電される。
【０１１３】
一方、直流ＵＰＳ６の交流入力端間に印加された単相交流電圧の尖頭値が下限値に達しない値になったとすると、この場合、トランジスタＱ４がオンし、トランジスタＱ３がオフするため、二次電池Ｂが発生する直流電圧が、電気機器４へと供給される。
【０１１４】
従って、図１３の構成の直流ＵＰＳ６も、自己の交流入力端間に印加されている単相交流電圧の尖頭値が所定の下限値に達しなくなったとき、二次電池Ｂから電気機器４への電力の供給を行う。一方、当該単相交流電圧の尖頭値が所定の下限値に達しているときは、直流ＵＰＳ６の各交流入力端間に印加された単相交流電圧を、電気機器４へと供給する。
【０１１５】
なお、直流ＵＰＳ６の構成も上述のものに限られない。
例えば、ダイオードＤ４は、トランジスタＱ４が有する寄生ダイオードより構成されていてもよい。
また、トランジスタＱ３及びＱ４は、いずれも、ｐチャネルエンハンスメント型ＭＯＳＦＥＴより構成されていてもよい。この場合、直流ＵＰＳ６は、例えば、図１４に示すような構成を有していればよい。
【０１１６】
図１４の構成において、二次電池Ｂの正極は、直流ＵＰＳ６の電源出力端の正極に接続されており、二次電池Ｂの負極は、ダイオードＤ３のカソードに接続されている。停電監視部ＲＥＦの制御出力端ｏｕｔａは、トランジスタＱ４のゲートに接続されており、制御出力端ｏｕｔｂは、トランジスタＱ３のゲートに接続されている。トランジスタＱ３のドレイン及びトランジスタＱ４のソースは、いずれも直流ＵＰＳ６の電源出力端の負極に接続されている。トランジスタＱ４のドレインは、ダイオードＤ３のアノードに接続されている。ダイオードＤ４のアノードはトランジスタＱ４のソースに接続されており、ダイオードＤ４のカソードは、トランジスタＱ４のドレインに接続されている。なお、その他の各部の構成は、図１３の構成と実質的に同一である。
【０１１７】
図１４に示すように、図１４の構成の直流ＵＰＳ６の電源出力端の各極が、図７に示す接続関係と実質的に同一の接続関係をとるようにして電気機器４の電源入力端の各極と接続されたとする。
この状態で、交流電源ＡＣＶより直流ＵＰＳ６の各交流入力端間に印加される単相交流電圧の尖頭値が上述の下限値以上であれば、トランジスタＱ３がオンし、トランジスタＱ４がオフする。このため、交流電源ＡＣＶが供給する単相交流電圧が電気機器４へと供給される。
また、交流電源ＡＣＶの両端のうち、トランジスタＱ３に接続されている方の端が他方の端より低電位である期間は、ダイオードＤ４が順バイアスされる。このため、交流電源ＡＣＶから、電池Ｂ、抵抗器Ｒ６、ダイオードＤ４、及びトランジスタＱ３のドレイン−ソース間を順に経て交流電源ＡＣＶに戻る電流が流れ、二次電池Ｂが充電される。
一方、交流電源ＡＣＶが供給する単相交流電圧の尖頭値が下限値に達しない値になると、トランジスタＱ４がオンし、トランジスタＱ３がオフするので、二次電池Ｂが発生する直流電圧が、電気機器４へと供給される。
【０１１８】
従って、図１４の構成の直流ＵＰＳ６も、自己の交流入力端間に印加されている単相交流電圧の尖頭値が所定の下限値に達しなくなったとき、二次電池Ｂから電気機器４への電力の供給を行う。一方、当該単相交流電圧の尖頭値が所定の下限値に達しているときは、直流ＵＰＳ６の各交流入力端間に印加された単相交流電圧を、電気機器４へと供給する。
【０１１９】
【発明の効果】
以上説明したように、この発明によれば、交流電源が停電したとき、瞬断が実質的に生じないようにして直流を供給するための電源装置及び給電方法が実現される。
また、この発明によれば、構成が簡単でノイズの発生量が少ない電源装置及び給電方法が実現される。
また、この発明によれば、負荷に急激に過大な電流が流れないようにして、交流電源が停電したときに直流を供給するための電源装置及び給電方法が実現される。
【図面の簡単な説明】
【図１】この発明の第１の実施の実施の形態にかかる直流ＵＰＳの構成を示す回路図である。
【図２】図１の直流ＵＰＳの変形例の構成を示す回路図である。
【図３】この発明の第２の実施の実施の形態にかかる直流ＵＰＳの構成を示す回路図である。
【図４】図３の直流ＵＰＳの変形例の構成を示す回路図である。
【図５】図３の直流ＵＰＳの変形例の構成を示す回路図である。
【図６】図３の直流ＵＰＳの変形例の構成を示す回路図である。
【図７】この発明の第３の実施の実施の形態にかかる直流ＵＰＳの構成を示す回路図である。
【図８】図７の直流ＵＰＳの変形例の構成を示す回路図である。
【図９】図７の直流ＵＰＳの変形例の構成を示す回路図である。
【図１０】図７の直流ＵＰＳの変形例の構成を示す回路図である。
【図１１】図８の直流ＵＰＳの変形例の構成を示す回路図である。
【図１２】図９の直流ＵＰＳの変形例の構成を示す回路図である。
【図１３】この発明の第４の実施の実施の形態にかかる直流ＵＰＳの構成を示す回路図である。
【図１４】図１３の直流ＵＰＳの変形例の構成を示す回路図である。
【符号の説明】
１、３、５、６              直流ＵＰＳ
２、４                      電気機器
ＡＣＶ                      交流電源
Ｂ                          二次電池
Ｃ１、Ｃ２                  コンデンサ
ＣＳ                        充電制御部
Ｄ１〜Ｄ４                  ダイオード
ＩＮＶ                      インバータ
Ｌ                          コイル
Ｔ                          変成器
Ｑ１〜Ｑ４                  トランジスタ
Ｒ１〜Ｒ６                  抵抗器
ＲＥＣＴ１、ＲＥＣＴ２      整流器
ＲＥＦ                      停電監視部
ＳＷＤ                      スイッチング素子
【図１】
0003664630.tif 000002
【図２】
0003664630.tif 000003
【図３】
0003664630.tif 000004
【図４】
0003664630.tif 000005
【図５】
0003664630.tif 000006
【図６】
0003664630.tif 000007
【図７】
0003664630.tif 000008
【図８】
0003664630.tif 000009
【図９】
0003664630.tif 000010
【図１０】
0003664630.tif 000011
【図１１】
0003664630.tif 000012
【図１２】
0003664630.tif 000013
【図１３】
0003664630.tif 000014
【図１４】
0003664630.tif 000015